(57)【要約】【課題】ケーブル側コネクタを基板側コネクタからより確実に外すことができる治具を提供する。【解決手段】レセプタクルに取り付けられているＬ型同軸コネクタを上側に引き上げることによってレセプタクルから外す際に用いられる治具１０。基板押さえ部１２ａ，１２ｂは、レセプタクルが取り付けられているフレキシブルプリント基板に上側から接触する。引き上げ部１４ａ，１４ｂは、基板押さえ部１２ａ，１２ｂに対して上下方向に移動可能であり、Ｌ型同軸コネクタに対して下側から接触した状態で上側に引き上げられることにより、Ｌ型同軸コネクタをレセプタクルに対して上側に引き上げる。【選択図】図２
2012033359.tif 000002
【特許請求の範囲】
【請求項１】
基板側コネクタに取り付けられているケーブル側コネクタを、上側に引き上げることによって該基板側コネクタから外す際に用いられる治具であって、
前記基板側コネクタが取り付けられている基板に上側から接触する基板押さえ部と、
前記基板押さえ部に対して上下方向に移動可能な引き上げ部であって、前記ケーブル側コネクタに対して下側から接触した状態で上側に引き上げられることにより、該ケーブル側コネクタを前記基板側コネクタに対して上側に引き上げる引き上げ部と、
を備えていること、
を特徴とする治具。
【発明の詳細な説明】
【技術分野】
【０００１】
本発明は、治具に関し、より特定的には、ケーブル側コネクタを基板側コネクタに着脱する際に用いられる治具に関する。
【背景技術】
【０００２】
ケーブル側コネクタを基板側コネクタに着脱する際に用いられる治具としては、例えば、特許文献１に記載のコネクタ挿抜用治具が知られている。以下に、図面を参照しながら該コネクタ挿抜用治具について説明する。図７（ａ）は、特許文献１に記載のコネクタ挿抜用治具５００の構成図である。図７（ｂ）は、ケーブル側コネクタ６００が装着されたときのコネクタ挿抜用治具５００の先端部分の拡大図である。
【０００３】
コネクタ挿抜用治具５００は、図７（ａ）に示すように、棒状部材により構成されている。コネクタ挿抜用治具５００の先端には、凹部５０４が形成されている。更に、コネクタ挿抜用治具５００の先端には、図７（ａ）に示すように、凹部５０４の内側に向かって折り返されて形成されている引っ掛け部５０６が設けられている。
【０００４】
以上のようなコネクタ挿抜用治具５００が使用される際には、図７（ｂ）に示すように、基板側コネクタ６０２に装着されているケーブル側コネクタ６００を、凹部５０４内に収納する。そして、コネクタ挿抜用治具５００を引き上げる。この際、引っ掛け部５０６が、ケーブル側コネクタ６００に引っ掛かり、該ケーブル側コネクタ６００が上側に引き上げられる。その結果、ケーブル側コネクタ６００は、基板側コネクタ６０２から外れる。
【０００５】
ところで、特許文献１に記載のコネクタ挿抜用治具５００は、基板側コネクタ６０２をケーブル側コネクタ６００から確実に外すことが困難であるという問題を有する。より詳細には、基板側コネクタ６０２は、可撓性を有するフレキシブルプリント基板上に実装されることが多い。そのため、ケーブル側コネクタ６００がコネクタ挿抜用治具５００により引き上げられる際に、フレキシブルプリント基板が撓んで、基板側コネクタ６０２がケーブル側コネクタ６００と共に引き上げられてしまうおそれがある。よって、コネクタ挿抜用治具５００では、基板側コネクタ６０２をケーブル側コネクタ６００から確実に外すことが困難である。
【先行技術文献】
【特許文献】
【０００６】
【特許文献１】特開２００４−２２１８１号公報
【発明の概要】
【発明が解決しようとする課題】
【０００７】
そこで、本発明の目的は、ケーブル側コネクタを基板側コネクタからより確実に外すことができる治具を提供する。
【課題を解決するための手段】
【０００８】
本発明の一形態に係る治具は、基板側コネクタに取り付けられているケーブル側コネクタを、上側に引き上げることによって該基板側コネクタから外す際に用いられる治具であって、前記基板側コネクタが取り付けられている基板に上側から接触する基板押さえ部と、前記基板押さえ部に対して上下方向に移動可能な引き上げ部であって、前記ケーブル側コネクタに対して下側から接触した状態で上側に引き上げられることにより、該ケーブル側コネクタを前記基板側コネクタに対して上側に引き上げる引き上げ部と、を備えていること、を特徴とする。
【発明の効果】
【０００９】
本発明によれば、ケーブル側コネクタを基板側コネクタからより確実に外すことができる。
【図面の簡単な説明】
【００１０】
【図１】Ｌ型同軸コネクタ及びレセプタクルの断面構造図である。
【図２】実施形態に係る治具の外観斜視図である。
【図３】図２の治具の分解斜視図である。
【図４】図２の治具の断面構造図である。
【図５】レセプタクルからＬ型同軸コネクタを取り外す際における治具の拡大断面構造図である。
【図６】レセプタクルからＬ型同軸コネクタを取り外す際における治具の拡大正面図である。
【図７】図７（ａ）は、特許文献１に記載のコネクタ挿抜用治具の構成図である。図７（ｂ）は、ケーブル側コネクタが装着されたときのコネクタ挿抜用治具の先端部分の拡大図である。
【発明を実施するための形態】
【００１１】
以下に、本発明の実施形態に係る治具の構成について図面を参照しながら説明する。
【００１２】
（コネクタの構成）
まず、本発明に係る治具により着脱されるコネクタの構成について図面を参照しながら説明する。図１は、Ｌ型同軸コネクタ１００及びレセプタクル２３０の断面構造図である。なお、図１における鉛直方向を上下方向と定義し、水平方向を前後方向と定義する。
【００１３】
Ｌ型同軸コネクタ（ケーブル側コネクタ）１００は、図１に示すように、ハウジング１１２、ブッシング１１４及びソケット１１６により構成されている。また、Ｌ型同軸コネクタ１００には、同軸ケーブル２２０が接続されている。
【００１４】
同軸ケーブル２２０は、絶縁膜２２１、外導体２２２、絶縁膜２２３及び中心導体２２４により構成されている。外導体２２２と中心導体２２４とは、絶縁膜２２３により絶縁されている。また、絶縁膜２２１は、外導体２２２の周囲を覆っている。
【００１５】
ハウジング１１２は、下側に開口を有する円筒形状をなしており、導電性材料（例えば、りん青銅）により作製されている。該ハウジング１１２は、同軸ケーブル２２０の外導体２２２に対して接続されている。
【００１６】
ソケット１１６は、円筒形状のハウジング１１２の中心において、上下方向に延在していると共に、Ｌ字型に曲げられて、ハウジング１１２の中心から後側に向かって延在している。該ソケット１１６は、導電性材料（例えば、りん青銅）により作製されており、同軸ケーブル２２０の中心導体２２４に対して接続されている。
【００１７】
ブッシング１１４は、絶縁性材料（例えば、液晶ポリマー）により作製されており、ハウジング１１２内に設けられて、該ハウジング１１２とソケット１１６とを絶縁している。
【００１８】
レセプタクル２３０（基板側コネクタ）は、フレキシブルプリント基板上に実装され、外部導体２３２及び中心導体２３４により構成されている。外部導体２３２は、ハウジング１１２の内径と同等の大きさの外径を有する円筒形状をなしており、上側に開口を有している。該外部導体２３２は、導電性材料（例えば、りん青銅）により作製されている。中心導体２３４は、円筒形状の外部導体２３２の中心において、上下方向に延在する細い円筒であり、導電性材料（例えば、りん青銅）により作製されている。
【００１９】
Ｌ型同軸コネクタ１００をレセプタクル２３０に取り付ける際には、図１（ａ）に示すように、Ｌ型同軸コネクタ１００をレセプタクル２３０の上側にセットし、該Ｌ型同軸コネクタ１００を下側に押さえつける。これにより、図１（ｂ）に示すように、外部導体２３２が上側からハウジング１１２に挿入される。そして、ハウジング１１２の内周面と外部導体２３２の外周面とが接触し、同軸ケーブル２２０の外導体２２２とレセプタクル２３０の外部導体２３２とがハウジング１１２を介して電気的に接続されるようになる。この際、ハウジング１１２は、外部導体２３２により押し広げられる。これにより、ハウジング１１２の内周面が、外部導体２３２の外周面に圧接するようになり、Ｌ型同軸コネクタ１００がレセプタクル２３０から容易に外れることが防止されている。
【００２０】
また、外部導体２３２がハウジング１１２に挿入されると同時に、図１（ｂ）に示すように、中心導体２３４がソケット１１６に挿入される。これにより、中心導体２３４の外周面とソケット１１６の内周面とが接触し、同軸ケーブル２２０の中心導体２２４とレセプタクル２３０の中心導体２３４とがソケット１１６を介して電気的に接続されるようになる。
【００２１】
一方、Ｌ型同軸コネクタ１００をレセプタクル２３０から取り外す際には、図１（ｂ）に示す状態において、Ｌ型同軸コネクタ１００を上側に引き上げる。これにより、図１（ａ）に示すように、Ｌ型同軸コネクタ１００がレセプタクル２３０から取り外される。
【００２２】
（治具の構成）
以下に、一実施形態に係る治具１０について図面を参照しながら説明する。治具１０は、レセプタクル２３０に取り付けられているＬ型同軸コネクタ１００を、上側に引き上げることによってレセプタクル２３０から外す際に用いられる。図２は、実施形態に係る治具１０の外観斜視図である。図３は、図２の治具１０の分解斜視図である。図４は、図２の治具１０の断面構造図である。以下では、図１において、鉛直方向（上下方向）をｚ軸方向と定義し、前後方向をｘ軸方向と定義し、左右方向をｙ軸方向と定義する。ｘ軸方向、ｙ軸方向及びｚ軸方向は直交している。
【００２３】
治具１０は、図２及び図３に示すように、本体１２、スライド部材１４、前カバー１６及びコイルばね１８により構成されている。
【００２４】
本体１２は、背面Ｓ１、側面Ｓ２，Ｓ３及び上面Ｓ４により構成されており、金属板が折り曲げられて作製されている。背面Ｓ１は、ｘ軸方向の負方向側に位置しており、ｚ軸方向に延在する長方形状の板である。側面Ｓ２は、背面Ｓ１のｙ軸方向の正方向側の長辺に接しており、背面Ｓ１に対して９０度をなすようにｘ軸方向の正方向側に張り出している。側面Ｓ２は、背面Ｓ１のｙ軸方向の負方向側の長辺に接しており、背面Ｓ１に対して９０度をなすようにｘ軸方向の正方向側に張り出している。上面Ｓ４は、背面Ｓ１のｚ軸方向の正方向側の短辺に接しており、背面Ｓ１に対して９０度をなすようにｘ軸方向の正方向側に張り出している。なお、本体１２は、ｚ軸方向の負方向側において下面を有していない。
【００２５】
また、背面Ｓ１のｚ軸方向の負方向側の端部には、図３に示すように、開口Ｏｐ１が設けられている。開口Ｏｐ１は、背面Ｓ１のｚ軸方向の負方向側の端部が長方形状に切り欠かれることにより形成されている。
【００２６】
また、側面Ｓ２，Ｓ３のｚ軸方向の負方向側の端部（ｚ軸方向の負方向側の短辺）はそれぞれ、基板押さえ部１２ａ，１２ｂを構成している。
【００２７】
スライド部材１４は、図２に示すように、本体１２に対してｚ軸方向にスライド可能に取り付けられており、金属板が折り曲げられて作製されている。スライド部材１４は、図３に示すように、引き上げ部１４ａ，１４ｂ、連結部１４ｃ及びレバー部１４ｄにより構成されている。連結部１４ｃは、ｚ軸方向に延在する長方形状の板である。引き上げ部１４ａ，１４ｂは、連結部１４ｃのｚ軸方向の負方向側の端部（短辺）に接しており、隙間Ｓｐを挟んでｙ軸方向に並んでいる。引き上げ部１４ａは、引き上げ部１４ｂよりもｙ軸方向の正方向側に位置している。そして、引き上げ部１４ａ，１４ｂは、連結部１４ｃに対して９０度なすようにｘ軸方向の正方向側に張り出している。
【００２８】
レバー部１４ｄは、連結部１４ｃのｚ軸方向の正方向側の端部（短辺）に接しており、連結部１４ｃに対して９０度をなすようにｘ軸方向の正方向側に向かって延在している。以上のように構成されたスライド部材１４は、連結部１４ｃが背面Ｓ１に沿うように、本体１２内に収容される。
【００２９】
コイルばね１８は、レバー部１４ｄのｚ軸方向の正方向側の面と上面Ｓ４のｚ軸方向の負方向側の面との間に設けられている。これにより、コイルばね１８は、スライド部材１４を本体１２に対してｚ軸方向の負方向側に付勢している。
【００３０】
前カバー１６は、前面Ｓ５及び側面Ｓ６，Ｓ７により構成されており、金属板が折り曲げられて作製されている。前面Ｓ５は、ｘ軸方向の正方向側に位置しており、ｚ軸方向に延在する長方形状の板である。前面Ｓ５のｙ軸方向の幅は、背面Ｓ１のｙ軸方向の幅よりも僅かに広い。更に、前面Ｓ５には、長方形状の窓Ｏｐ３が設けられている。
【００３１】
側面Ｓ６は、前面Ｓ５のｙ軸方向の正方向側の長辺に接しており、前面Ｓ５に対して９０度をなすようにｘ軸方向の負方向側に張り出している。側面Ｓ７は、前面Ｓ５のｙ軸方向の負方向側の長辺に接しており、前面Ｓ５に対して９０度をなすようにｘ軸方向の負方向側に張り出している。
【００３２】
以上のように構成された前カバー１６は、前面Ｓ５が連結部１４ｃを挟んで背面Ｓ１と対向し、かつ、側面Ｓ６，Ｓ７が側面Ｓ２，Ｓ３に覆いかぶさるように、本体１２に対して取り付けられる。そして、図３に示すように、側面Ｓ２，Ｓ３には突起２０ａ〜２０ｄ（突起２０ｃ，２０ｄは図示せず）が設けられており、側面Ｓ６，Ｓ７には孔２２ａ〜２２ｄ（孔２２ｃ，２２ｄは図示せず）が設けられている。そして、突起２０ａ〜２０ｄと孔２２ａ〜２２ｄとが係合することにより、前カバー１６は、本体１２に固定されている。
【００３３】
前カバー１６が本体１２に取り付けられると、レバー部１４ｄは、図２に示すように、窓Ｏｐ３から突出している。そして、通常では、レバー部１４ｄは、コイルばね１８の付勢力により、ｚ軸方向の負方向側に付勢されているので、図２（ａ）及び図４（ａ）に示すように、窓Ｏｐ３のｚ軸方向の負方向側の端部に位置している。このとき、引き上げ部１４ａ，１４ｂは、相対的にｚ軸方向の負方向側に位置している。一方、レバー部１４ｄは、コイルばね１８の付勢力に抗してｚ軸方向の正方向側に引き上げられると、図２（ｂ）及び図４（ｂ）に示すように、窓Ｏｐ３のｚ軸方向の正方向側の端部に位置するようになる。このとき、引き上げ部１４ａ，１４ｂは、相対的にｚ軸方向の正方向側に位置している。すなわち、レバー部１４ｄをｚ軸方向にスライドさせることにより、引き上げ部１４ａ，１４ｂをｚ軸方向にスライドさせることが可能である。
【００３４】
（治具の使用方法）
以下に、治具１０の使用方法について図面を参照しながら説明する。図５は、レセプタクル２３０からＬ型同軸コネクタ１００を取り外す際における治具１０の拡大断面構造図である。図６は、レセプタクル２３０からＬ型同軸コネクタ１００を取り外す際における治具１０の拡大正面図である。
【００３５】
図５及び図６に示すように、Ｌ型同軸コネクタ１００は、円筒形状をなしており、突起１２０ａ，１２０ｂを有している。突起１２０ａは、ハウジング１１２からｙ軸方向の正方向側に突出している。また、突起１２０ｂは、ハウジング１１２からｙ軸方向の負方向側に突出している。また、レセプタクル２３０は、フレキシブルプリント基板３００上に実装されている。
【００３６】
Ｌ型同軸コネクタ１００をレセプタクル２３０から取り外す際には、ｘ軸方向の負方向側から治具１０をＬ型同軸コネクタ１００に接触させる。このとき、引き上げ部１４ａ，１４ｂはそれぞれ、図５（ａ）及び図６（ａ）に示すように、突起１２０ａ，１２０ｂのｚ軸方向の負方向側に位置している。そして、引き上げ部１４ａ，１４ｂは、レセプタクル２３０を挟んでいる。更に、側面Ｓ２，Ｓ３の基板押さえ部１２ａ，１２ｂは、フレキシブルプリント基板３００にｚ軸方向の正方向側から接触している。また、同軸ケーブル２２０は、開口Ｏｐ１，Ｏｐ２内を通過している。
【００３７】
次に、図２（ｂ）及び図４（ｂ）に示すように、レバー部１４ｄがｚ軸方向の正方向側に引き上げられる。これに伴って、引き上げ部１４ａ，１４ｂもｚ軸方向の正方向側に引き上げられる。この際、引き上げ部１４ａ，１４ｂのｚ軸方向の正方向側の面は、突起１２０ａ，１２０ｂのｚ軸方向の負方向側の面に接触し、図５（ｂ）及び図６（ｂ）に示すように、Ｌ型同軸コネクタ１００をｚ軸方向の正方向側に引き上げる。これにより、Ｌ型同軸コネクタ１００は、レセプタクル２３０から取り外される。
【００３８】
（効果）
以上のように構成された治具１０によれば、Ｌ型同軸コネクタ１００をレセプタクル２３０からより確実に外すことができる。より詳細には、特許文献１に記載のコネクタ挿抜用治具５００では、ケーブル側コネクタ６００がコネクタ挿抜用治具５００により引き上げられる際に、フレキシブルプリント基板が撓んで、基板側コネクタ６０２がケーブル側コネクタ６００と共に引き上げられてしまうおそれがある。よって、コネクタ挿抜用治具５００では、基板側コネクタ６０２をケーブル側コネクタ６００から確実に外すことが困難である。
【００３９】
一方、治具１０では、基板押さえ部１２ａ，１２ｂがフレキシブルプリント基板３００にｚ軸方向の正方向側から押さえつけた状態で、突起１２０ａ，１２０ｂを引き上げ部１４ａ，１４ｂによりｚ軸方向の正方向側に引き上げられる。そのため、フレキシブルプリント基板３００がＬ型同軸コネクタ１００及びレセプタクル２３０によりｚ軸方向の正方向側に引っ張られて撓むことが抑制される。その結果、治具１０によれば、Ｌ型同軸コネクタ１００をレセプタクル２３０からより確実に外すことができる。
【産業上の利用可能性】
【００４０】
本発明は、治具に有用であり、特に、ケーブル側コネクタを基板側コネクタからより確実に外すことができる点において優れている。
【符号の説明】
【００４１】
１０  治具
１２  本体
１２ａ，１２ｂ  基板押さえ部
１４  スライド部材
１４ａ，１４ｂ  引き上げ部
１４ｃ  連結部
１４ｄ  レバー部
１６  前カバー
１８  コイルばね
【図１】
2012033359.tif 000003
【図２】
2012033359.tif 000004
【図３】
2012033359.tif 000005
【図４】
2012033359.tif 000006
【図５】
2012033359.tif 000007
【図６】
2012033359.tif 000008
【図７】
2012033359.tif 000009